(57)【要約】    【課題】  入居するテナントの業種および売場面積に応じて、排出される廃棄物の量を定量的に算定することができ、それにより、建設を予定の総合店舗に対応した廃棄物処理室の大きさや設備レイアウト、廃棄物処理用人員、経費等を算定できる廃棄物排出量算定プログラムを提供する。    【解決手段】  テナント毎にその業種および売場面積を入力装置により入力させる手順と、入力された各業種に対応する廃棄物の種別毎の排出量算出関数を抽出装置により記憶装置からそれぞれ抽出する手順と、抽出された排出量算出関数にそれぞれの売場面積を代入して演算装置で演算することにより各テナント毎における廃棄物の各種別毎の排出量を算出する手順と、算出された廃棄物の種別毎の排出量から各種別毎の総排出量を演算装置により算出する手順とを実行するように構成される。【選択図】    図２
2006185222.tif 000002
【特許請求の範囲】
【請求項１】
テナント毎にその業種および売場面積を入力装置により入力させる手順と、
入力された各業種に対応する廃棄物の種別毎の排出量算出関数を抽出装置により記憶装置からそれぞれ抽出する手順と、
抽出された排出量算出関数にそれぞれの売場面積を代入して演算装置で演算することにより各テナント毎における廃棄物の各種別毎の排出量を算出する手順と、
算出された廃棄物の種別毎の排出量から各種別毎の総排出量を演算装置により算出する手順と
をコンピュータに実行させるための廃棄物排出量算定プログラム。
【請求項２】
算出された総排出量の各種別毎の廃棄物を処理するのに必要な処理設備を抽出装置により記憶装置から抽出する手順と、
抽出された処理設備を設置するのに必要な廃棄物処理室のレイアウトを演算装置により作成する手順と、
作成した廃棄物処理室のレイアウトに含まれる処理設備の単価を抽出装置によりデータベースから抽出して廃棄物処理に要する経費を演算装置により算出する手順と
をさらに実行させるための、請求項１に記載の廃棄物排出量算定プログラム。
【請求項３】
廃棄物の種別毎の排出量−ＣＯ2 排出量換算式を抽出装置によりデータベースからそれぞれ抽出する手順と、
前記算出された廃棄物の種別毎の総量を前記抽出された排出量−ＣＯ2 排出量換算式に代入して演算装置によりＣＯ2 排出量を算出する手順と
をさらに実行させるための、請求項１に記載の廃棄物排出量算定プログラム。
【発明の詳細な説明】
【技術分野】
【０００１】
本発明は、主として複数の異なった業種のテナントが統合された総合店舗における廃棄物排出量を算定すると共に、廃棄物処理のための廃棄物処理室の大きさやレイアウト、そこに設置すべき廃棄物処理用設備や廃棄物処理用人員、それらに要する経費等を算定するためのプログラムである。
【背景技術】
【０００２】
廃棄物処理に関する技術思想としては、効率的に廃棄物を回収できるとともに排出者別の廃棄物の排出量を把握でき、さらに廃棄物の排出量を削減するもの（例えば、特許文献１参照）、資源・廃棄物の種類と量に関する情報を有効活用することにより、再資源化処理を効率化すると共に、資源・廃棄物の種類と量に応じた妥当な回収料金を実現し、リサイクルをより一層推進するもの（例えば、特許文献２参照）、廃棄物処理施設の建設地の各候補地を定量的に把握するもの（例えば、特許文献３および４参照）などが提案されている。
【０００３】
しかしながら、これらの技術思想はすべて廃棄物の回収、処理、リサイクルに関するものであり、廃棄物発生場所における廃棄物排出量の算定、廃棄物処理のための廃棄物処理室の大きさ、そこに設置すべき廃棄物処理用設備や廃棄物処理用人員、それらに要する経費等の算定に関するものは提案はなされていないのが現状である。
【０００４】
そのため、建設を予定している総合店舗に必要な廃棄物処理室の大きさやレイアウト、そこに設置すべき廃棄物処理用設備や廃棄物処理用人員、それらに要する経費等については、既存の総合店舗の中から建設予定のものに類似した総合店舗を選び出し、そこにおける廃棄物処理室の大きさやレイアウト、廃棄物処理用人員、経費等から類推する方法が取られていた。そのため、総合店舗に入居するテナントの業種がモデルとなった総合店舗と異なる場合、廃棄物排出量、特に種別毎の廃棄物排出量が予定と異なり、改善を必要とする虞を潜在的に含むものであった。
【特許文献１】特開２００２−２５１４４５号公報
【特許文献２】特願２００１−５７０５３８号公報
【特許文献３】特願２００１−１５７０７５号公報
【特許文献４】特開２００４−７８９８０号公報
【発明の開示】
【発明が解決しようとする課題】
【０００５】
本発明は、入居するテナントの業種および売場面積に応じて、排出される廃棄物の量を定量的に算定することができ、それにより、建設を予定の総合店舗に対応した廃棄物処理室の大きさや設備レイアウト、廃棄物処理用人員、経費等を算定できる廃棄物排出量算定プログラムを提供するものである。
【課題を解決するための手段】
【０００６】
本発明による廃棄物排出量算定プログラムは、各テナント毎にその業種および売場面積を入力装置により入力させる手順と、入力された業種に対応する廃棄物の種別毎の排出量算出関数を抽出装置により記憶装置からそれぞれ抽出する手順と、抽出された排出量算出関数にそれぞれの売場面積を代入して演算装置で演算することにより各テナント毎における廃棄物の各種別毎の排出量を算出する手順と、算出された廃棄物の種別毎の排出量から各種別毎の総排出量を演算装置により算出する手順とをコンピュータに実行させる。排出量算出関数は、日本全国のサンプリング店舗における廃棄物の量を各種別毎に実測して統計学的に導き出されたものであり、各業種について廃棄物の各種別毎に設定されたものである。
【０００７】
本発明による廃棄物排出量算定プログラムはまた、  算出された総排出量の各種別毎の廃棄物を処理するのに必要な処理設備を抽出装置により記憶装置から抽出する手順と、抽出された処理設備を設置するのに必要な廃棄物処理室のレイアウトを演算装置により作成する手順と、作成した廃棄物処理室のレイアウトに含まれる処理設備の単価を抽出装置によりデータベースから抽出して廃棄物処理に要する経費を演算装置により算出する手順とをさらにコンピュータに実行させることもできる。
【０００８】
さらに、本発明による廃棄物排出量算定プログラムは、廃棄物の種別毎の排出量−ＣＯ2 排出量換算式を抽出装置によりデータベースからそれぞれ抽出する手順と、前記算出された廃棄物の種別毎の総量を前記抽出された排出量−ＣＯ2 排出量換算式に代入して演算装置によりＣＯ2 排出量を算出する手順とをさらにコンピュータに実行させることもできる。排出量−ＣＯ2 排出量換算式には、環境庁温室効果ガス排出量算定方法検討会廃棄物分科会の報告書に記載された排出係数が用いられる。
【発明の効果】
【０００９】
本発明によれば、大型店舗の設計段階において廃棄物排出量を各種別毎に正確に把握することができるため、廃棄物処理に要する廃棄物処理室の大きさや設備を過剰に見込んでしまうことがなく、また、竣工後に廃棄物処理室の大きさや設備が不足することもない。また、ＣＯ2 排出量を簡単に求めることができるため、大店立地法で提出を求められるような添付資料を簡単に作成することができる。
【発明を実施するための最良の形態】
【００１０】
本発明の実施例による廃棄物排出量算定プログラムは、主として、大店立地法において規定するような大型小売店舗（種々の業種の売場がある総合店舗）において排出される各業種における各種別毎の廃棄物排出量を算定すると共に、それに基づいて廃棄物処理室の大きさや設備レイアウト、廃棄物処理用人員、経費等を算定できる廃棄物排出量算定プログラムである。
【００１１】
本発明の廃棄物排出量算定プログラムは、図１に示すように、所要のデータを入力するための入力装置１と、後述する関数や係数、廃棄物を処理するのに必要な設備機器等のデータを記録した記憶装置２と、記憶装置２に記憶されたデータを抽出するための抽出装置３と、抽出装置３により抽出されたデータに基づいて所定の演算を行うための演算装置４と、入力／出力データや演算結果等を表示するための表示装置５とを備えたコンピュータを作動させるためのものである。通常、入力装置１はキーボードやマウスであり、抽出装置３および演算装置４はＣＰＵであり、表示装置５はＣＲＴやＬＣＤである。このハードウエアに関する構成については、上述以外の構成も採用でき、例えば、入力装置１を用いる代わりに、予め作成されたファイルを読み込むことによっても行われ得ることは容易に理解されよう。
【００１２】
以下、図２を参照して、本廃棄物排出量算定プログラムのフローについて説明する。大型小売店舗を設計したとき、或いは大型店舗に入居するテナントが決まったとき、本プログラムを起動し、表示装置５に入力用画面Ｆ１（図３参照）を表示させる（ステップＳ１）。入力用画面Ｆ１には、少なくとも、テナントの業種および売場面積を入力するための入力欄Ｃ１と、種別毎の廃棄物排出量を表示するための廃棄物排出量表示欄Ｃ２と、廃棄物排出量の種別毎の合計を表示するための合計表示欄Ｃ３と、廃棄物を焼却または埋め立てたときのＣＯ2 排出量を表示するためのＣＯ2 排出量表示欄Ｃ４と、廃棄物がリサイクル可能か否かを選択するためのリサイクル選択欄Ｃ５とが設けられる。リサイクル選択欄Ｃ５は、地域によってリサイクル可能な廃棄物が異なるため、それに対応するために用いられる。
【００１３】
入力装置１により入力欄Ｃ１にテナントの業種および売場面積が入力されると（ステップＳ２）、抽出装置３は、入力された業種に対応する排出量算出関数を記憶装置から抽出する（ステップＳ３）。この排出量算出関数は、日本全国のサンプリング店舗における廃棄物の量を各種別毎に実測して統計学的に導き出されたもので、各業種について廃棄物の各種別毎に用意される。演算装置４は、抽出された各排出量算出関数に売場面積をそれぞれ代入して演算し、各種別毎の廃棄物の排出量をそれぞれ算定して廃棄物排出量表示欄Ｃ２に表示する（ステップＳ４）。このとき、抽出装置３は、算定した廃棄物の種別に対応する排出量−ＣＯ2 排出量換算式を記憶装置２から抽出して演算装置４に送り（ステップＳ５）、算定した廃棄物の各種別毎の総量を排出量−ＣＯ2 排出量換算式に代入してＣＯ2 排出量を算定する（ステップＳ６）。この排出量−ＣＯ2 排出量換算式は、環境庁温室効果ガス排出量算定方法検討会廃棄物分科会の報告書に記載された排出係数が用いられ、廃棄物の各種別毎に用意される。
【００１４】
廃棄物の各種別毎の全総量が算定されると、抽出装置３は、それらの廃棄物を処理するのに必要な設備機器に関するデータ、例えば、廃棄物処理能力、寸法、重量、価格等を記憶装置２から抽出する（ステップＳ７）。このとき、リサイクル選択欄Ｃ５にリサイクル可能であることが入力されている場合、その廃棄物をリサイクルさせるのに適した設備機器が選択される。演算装置４は、抽出した設備機器の廃棄物処理能力から廃棄物を処理するのに必要な各設備機器の数およびその価格を算定し（ステップＳ８）、一覧表を作成して表示装置５に表示させる。次いで、演算装置４は、廃棄物処理室の面積を選択する画面を表示装置５に表示させる（ステップＳ９）。設計または建築しようとする廃棄物処理室に応じた面積が選択されると（ステップＳ１０）、演算装置４は、選択された面積に応じた方形の廃棄物処理室を設定し、その中に必要な設備機器を配置した廃棄物処理室のレイアウト画面（図４参照）を作成して表示装置５に表示させる（ステップ１１）。
【００１５】
記憶装置２から抽出する設備機器については、通常、廃棄物を一時的に貯蔵するためのもの、例えば、ワークテナー、サンテナー、ダンボールカート等であるが、廃棄物が生ゴミの場合、生ゴミを処理するための生ゴミ処理機や生ゴミを一時的に貯蔵するためのプレハブ冷蔵庫が必要である。そのため、ステップ４で生ゴミの全排出量が算定されると、その排出量に適合した生ゴミ処理機やプレハブ冷蔵庫に関するデータ、例えば、価格、仕様等を記憶装置２から抽出して表示装置５に表示させる（ステップＳ１２）。
【００１６】
また、ステップ４で廃棄物の総排出量が算定されると、抽出装置３は排出量−処理時間換算式を記憶装置２から抽出し（ステップＳ１３）、演算装置４は廃棄物の総排出量を排出量−処理時間換算式に代入して廃棄物を処理するのに必要なマンアワーを算定する（ステップＳ１４）。
【００１７】
上述の説明において、廃棄物の排出量およびＣＯ2 の排出量について、単に量として説明したが、各種別毎の廃棄物の重量−容積換算式、ＣＯ2 の重量−容積換算式を記憶装置２に用意し、必要に応じて重量および／または容積に変換して算定されることは容易に理解されよう。
【産業上の利用可能性】
【００１８】
本発明のプログラムは、大店立地法において規定するような大型小売店舗だけでなく、単一業種の店舗の場合であっても使用できる。この場合、該当する業種以外の業種について売場面積を入力しない（または「０」と入力する）ことにより対応できる。
【図面の簡単な説明】
【００１９】
【図１】本発明の実施例によるプログラムを実行するためのハードウエアを模式的に示す図である。
【図２】本発明の実施例によるプログラムのフローチャートを示す図である。
【図３】本発明のプログラムにおける入力用画面の一例を示す図である。
【図４】本発明のプログラムにおいて算定された廃棄物処理室のレイアウト画面の一例を示す図である。
【符号の説明】
【００２０】
１    入力装置                        ２    記憶装置
３    抽出装置                        ４    演算装置
５    表示装置
【図１】
2006185222.tif 000003
【図２】
2006185222.tif 000004
【図３】
2006185222.tif 000005
【図４】
2006185222.tif 000006